(57)【要約】【課題】  樹脂容器の口部の楕円化を矯正するためのねじキャップを提供すること。【解決手段】  容器本体の口部に螺合されるねじキャップであって、ねじキャップは、頂壁と、頂壁の外縁から垂設される外周壁と、頂壁裏面から垂下し、閉蓋時に容器本体の口部の上面に当接するコンタクトリングと、容器本体の口部の内側に、頂壁裏面から垂設される規制リブとを備え、規制リブは、容器本体の口部の形状が真円状の場合に、口部の内面に当接せず、隙間を有することを特徴とする。【選択図】  図１
2018104039.tif 000002
【特許請求の範囲】
【請求項１】
容器本体の口部に螺合されるねじキャップであって、
ねじキャップは、頂壁と、頂壁の外縁から垂設される外周壁と、頂壁裏面から垂下し、閉蓋時に容器本体の口部の上面に当接するコンタクトリングと、容器本体の口部の内側に、頂壁裏面から垂設される規制リブとを備え、
規制リブは、容器本体の口部の形状が真円状の場合に、口部の内面に当接せず、隙間を有することを特徴とするねじキャップ。
【請求項２】
規制リブは、容器本体の口部の形状が真円状から楕円状などに変形した場合には、口部の内面に当接し、閉蓋時に口部に当接して押し広げても、コンタクトリングは口部上面との密封状態を維持することを特徴とする請求項１記載のねじキャップ。
【請求項３】
規制リブの下面は、容器本体の口部に近い部分から内側に向かって下る斜面部を有することを特徴とする請求項１または２に記載のねじキャップ。
【発明の詳細な説明】
【技術分野】
【０００１】
本発明は、樹脂容器用のねじキャップに関するものである。
【背景技術】
【０００２】
従来から、食品用容器としては、保存性を考慮してガラス容器が使用されてきたが、ガラス容器は割れやすく、また重いなどの問題があるため、樹脂容器が使用されてきている。
【０００３】
樹脂容器としては、ポリプロピレンやポリエチレン製の他に、最近ではペットボトルが使用され、また樹脂容器用のねじキャップとしては一般にオレフィン系樹脂が使用され、密封性、保存性がよい樹脂容器用のねじキャップは従来から知られている（例えば、特許文献１参照）。
【先行技術文献】
【特許文献】
【０００４】
【特許文献１】特開２００５−１２６０７４号公報
【発明の概要】
【発明が解決しようとする課題】
【０００５】
しかしながら、樹脂容器の場合、とくに口部が広口の場合には、口部の形状が楕円状などに変形しやすいという問題があり、上記特許文献１記載の樹脂容器のねじキャップでは、ねじキャップの頂壁の下部から容器の口部周壁を内側から密着するインナーリングが垂設されているため、楕円度の大きな場合には、容器にねじキャップを閉蓋しようとしてもうまくセットできなかったり、また、無理に閉蓋しようとすると、容器の気密性に不具合が生じるという問題があった。
【０００６】
本発明は、上記問題を解決することを課題とし、樹脂容器の口部の楕円化を矯正するためのねじキャップを提供することを目的とする。
【課題を解決するための手段】
【０００７】
本発明は、上記の課題を解決するため、ねじキャップとして、容器本体の口部に螺合されるねじキャップであって、ねじキャップは、頂壁と、頂壁の外縁から垂設される外周壁と、頂壁裏面から垂下し、閉蓋時に容器本体の口部の上面に当接するコンタクトリングと、容器本体の口部の内側に、頂壁裏面から垂設される規制リブとを備え、規制リブは、容器本体の口部の形状が真円状の場合に、口部の内面に当接せず、隙間を有することを特徴とする構成を採用する。
【０００８】
規制リブの実施態様として、規制リブは、容器本体の口部の形状が真円状から楕円状などに変形した場合には、口部の内面に当接し、閉蓋時に口部に当接して押し広げても、コンタクトリングは口部上面との密封状態を維持することを特徴とする構成、および、規制リブの下面は、容器本体の口部に近い部分から内側に向かって下る斜面部を有することを特徴とする構成を採用する。
【発明の効果】
【０００９】
本発明のねじキャップは、上記構成を有することにより、容器本体の口部の形状が真円状の場合には、規制リブは、容器本体の口部の内面に当接しないが、容器本体の口部の形状が楕円状などに変形した場合には、楕円には短径部分があるため、規制リブは、容器本体の口部の内面に当接し、ねじキャップを閉蓋したときに、規制リブによって容器本体の口部の形状が真円状に矯正され、ねじキャップを容易に閉蓋および開蓋することができる。
また、ねじキャップの頂壁の裏面からコンタクトリングを垂設した場合には、シール性がよいものとなる。
【図面の簡単な説明】
【００１０】
【図１】本発明の実施例のねじキャップを口部が真円状の容器本体に使用し、閉蓋した状態を示す図で、（ａ）は側面断面図、（ｂ）は要部拡大図である。
【図２】本発明の実施例のねじキャップを口部が楕円状に変形した容器本体に使用し、閉蓋途中の状態のねじキャップと容器本体との関係を示す図で、（ａ）は楕円状の容器本体の口部の上面図、（ｂ）は口部の上面にねじキャップの規制リブが当接したときの側面断面図である。
【図３】本発明の実施例のねじキャップを口部が楕円状に変形した容器本体に使用し、閉蓋状態でのねじキャップと容器本体との関係を示す図で、（ａ）は規制リブによって矯正され、ほぼ真円状となった容器本体の口部の上面図、（ｂ）は容器本体の口部の内面にねじキャップの規制リブが当接した側面断面図である。
【図４】本発明の実施例の要部拡大図で、（ａ）は図２（ｂ）の要部拡大図、（ｂ）は図３（ｂ）の要部拡大図である。
【発明を実施するための形態】
【００１１】
次に、本発明のねじキャップを樹脂容器に使用し、実施例に示した図面を参照して説明する。
【実施例】
【００１２】
図１〜３において、Ａは容器本体、Ｂは容器本体Ａに螺合されるねじキャップである。
なお、容器本体Ａは、ポリプロピレン樹脂を用い、押出ブロー成形により製造したものであり、また、ねじキャップＢについても、同じくポリプロピレン樹脂を用い射出成形により製造したものである。
ただし、本実施例では、容器本体ＡとねじキャップＢをともにポリプロピレン樹脂製としたが、ポリプロピレン樹脂に限らず、ポリエチレン樹脂、ポリエチレンテレフタレート樹脂等、成形性や物性に合わせて合成樹脂を選択することができ、また、成形方法についても、押出ブロー成形、射出成形に限らず、二軸延伸ブロー成形、圧縮成形等、合成樹脂の特性に合わせた成形方法を選択することができる。
【００１３】
容器本体Ａは、図１〜３に示すように、開口された口部１を有し、口部１には肩部２を介して口筒部３が連設され、口筒部３の外周に、ねじキャップＢと螺合する雄ねじ部４が形成されている。
【００１４】
ねじキャップＢは、図１〜３に示すように、円板状の頂壁１０と、頂壁１０の外縁から垂設される円筒状の外周壁１２と、頂壁１０の裏面から突設され、容器本体Ａの口部１の上面１ａに当接してシール状態を維持するためのコンタクトリング１３と、コンタクトリング１３より容器本体Ａの内側に、頂壁１０の裏面から垂設される規制リブ１４とを備えている。
また、外周壁１２の内周には、容器本体Ａの雄ねじ部４と螺合するための雌ねじ部１５が形成されている。
【００１５】
規制リブ１４は、容器本体Ａの口部１の形状が真円の場合には、図１（ｂ）に示すとおり、口部１の内面１ｂには当接しない位置にあり、口部１の内面１ｂとの間に隙間が設けられている。
しかしながら、とくに広口の樹脂容器の場合、図２（ａ）に示すとおり、容器本体Ａの口部１の形状は楕円となりやすく、楕円状に変形した場合には、長径αと短径βを有するため、短径βにおいて、図４に示すとおり、規制リブ１４は口部１の内面１ｂに当接するようになる。
また、図３（ａ）に示すように、閉蓋時には、規制リブ１４は口部１の内面１ｂに当接することによって、口部１の楕円の短径β部分が外側に広げられ、楕円状が矯正されてほぼ真円状となる。
なお、口部１の変形は、楕円状だけでなく、四角や三角など多角形状に変形する場合もあり、そのような変形も楕円状変形と同様に、本発明のねじキャップは、規制リブ１４によって口部１の内面１ｂに当接し、押し広げて、矯正することができる。
【００１６】
また、本実施例では、規制リブ１４の下面は容器本体Ａの口部１に近い部分から内側に向かって下る斜面部１６が設けられている。
なお、規制リブ１４の下面は、斜面部１６を有することなく、面取りされたものでも構わないが、斜面部１６を設けることが好ましい。
本実施例では、規制リブ１４は、全周に設けられているが、全周でなく、間欠的に設けられていても構わない。
【００１７】
また、コンタクトリング１３は、規制リブ１４が口部１の内面１ｂに当接する際に、容器本体Ａの口部１の上面１ａとの接点が外側に移動するため、口部１の内面１ｂと規制リブ１４との隙間は、コンタクトリング１３の口部１の上面１ａとの接点が外側に移動した場合にも、コンタクトリング１３によるシールが維持される程度に設定されている。
【００１８】
本発明の容器本体Ａの雄ねじ部４とねじキャップＢの雌ねじ部１５は、どのような形式のねじであっても構わない。
一般的には、通常のねじが用いられるが、とくに広口の樹脂容器においては、特開２０１６−１６４０８１号公報等に記載されるような少ない回転で開蓋できるねじが好ましい。
【００１９】
次に、本実施例の使用態様と作用効果について説明する。
本実施例では、比較的口径が大きな押出ブロー成形により製造され、口部１が楕円状に変形した樹脂容器に使用したねじキャップについて説明する。
容器本体Ａの口筒部３に、上方からねじキャップＢを被せて下降させていくと、外周壁１２の内周が容器本体Ａの雄ねじ部４の上面に当接し、一般的には右回りに、ねじキャップＢを回転させると、ねじキャップＢが下降していく。
【００２０】
さらに、ねじキャップＢを回転していくと、図２（ａ）に示すとおり、ねじキャップＢは、容器本体Ａの口部１の形状が楕円であるため、短径βの部分の口部１の内面１ｂ上部に、規制リブ１４の斜面部１６が当接するが、規制リブ１４の下面が斜面部１６であるため、口部１を押し広げながら、難なくそのまま回転することができ、図３（ｂ）に示すとおり、規制リブ１４は、口部１の内面１ｂに当接しながら、コンタクトリング１３が口部１の上面１ａに達して、ねじキャップＢの下降が止まる。
【００２１】
閉蓋時には、図３（ａ）に示すとおり、容器本体Ａの口部１は規制リブ１４により、短径β部分が外側に広げられ、口部１の形状が矯正されてほぼ真円状となっている。
また、ねじキャップＢは、コンタクトリング１３が容器本体Ａの口部１の上面１ａに当接し、容器本体Ａをシールして密封状態を保持する。
【００２２】
ねじキャップＢを開蓋するには、ねじキャップＢを左方向に容易に回転させることができ、ねじキャップＢの上昇とともに、規制リブ１４の口部１の内面１ｂへの当接が弱まり、図２に示すように、規制リブ１４の口部１への当接がなくなり、容器本体Ａの口部１の形状は徐々に元の楕円に戻っていく。
さらにねじキャップＢを回転させると、ねじキャップＢと容器本体Ａとの螺合が解け、簡単に開蓋することができる。
なお、本発明のねじキャップＢを使用し、矯正された閉蓋状態が長く続くと、当初口部１が楕円状の場合であっても、開蓋したときに、元の楕円に戻らず、規制リブ１４によって容器本体Ａの口部１の形状が矯正されたままの、ほぼ真円状を保つようになる。
【産業上の利用可能性】
【００２３】
本発明のねじキャップは、樹脂容器の口部の形状が楕円状などに変形した場合であっても、閉蓋が容易であり、閉蓋状態では、口部の形状が矯正されて真円状となり、開蓋も容易となる。
とくに、口部が楕円形状などに変形しやすい広口樹脂容器用のねじキャップとして有用である。
【符号の説明】
【００２４】
Ａ            容器本体
Ｂ            ねじキャップ
α            長径
β            短径
１            口部
１ａ          上面
１ｂ          内面
２            肩部
３            口筒部
４            雄ねじ部
１０            頂壁
１２            外周壁
１３            コンタクトリング
１４            規制リブ
１５            雌ねじ部
１６            斜面部
【図１】
2018104039.tif 000003
【図２】
2018104039.tif 000004
【図３】
2018104039.tif 000005
【図４】
2018104039.tif 000006